(57)【要約】本発明は、マイクロ波用の広帯域又はマルチバンドアンテナに関するもので、リフレクタ面（R）と、該リフレクタ面の近傍に配置される、少なくとも１つの放射要素（ER）を含む。ＰＦＢ材料と呼ぶ光禁止帯欠陥材料は、実質的に平面で、リフレクタ（R）に平行で、透磁率特性、誘電率特性、及び／又は、リフレクタ（R）に垂直な方向の厚さの、少なくとも一つの特性を有するもので、光禁止帯材料の１つの要素と隣の要素とは異なるものである。アセンブリは、漏洩レゾナントキャビティを形成する。本発明は、移動体電話システム、又は光伝送に応用できる。
2005504475.tif 000002
【特許請求の範囲】
【請求項１】
リフレクタを構成する面と、該リフレクタを構成する面の近傍に配置される、少なくとも１つの送信/受信放射要素を有する広帯域又はマルチバンドアンテナであって、
前記アンテナは、
更に、実質的に、前記リフレクタを構成する面と前記放射要素に重畳して配置された、欠陥性PFB材料要素のアセンブリを有するものであって、
各実質的に平面である欠陥性PFB材料要素は、前記リフレクタを構成する平面に平行で、透磁率特性、誘電率特性、及び／又は、前記要素の前記リフレクタ構成面に垂直な方向の厚さ特性の少なくとも１つが、欠陥性PFB材料要素毎に実質的に異なり、
全体が、前記リフレクタを構成する面と、漏洩レゾナントキャビティを形成する欠陥性PFB材料要素アセンブリと、から形成されることを特徴とする広帯域又はマルチバンドアンテナ。
【請求項２】
前記アセンブリは、欠陥性PFB材料要素から構成され、
各要素は、透磁率，誘電率、及び、
前記リフレクタを構成する面に垂直な方向の厚さの特性に関し、周期的構成を持つことを特徴とする請求項１記載のアンテナ。
【請求項３】
前記アセンブリは、欠陥性PFB材料要素から構成され、
各要素は、透磁率，誘電率、並びに、前記リフレクタを構成する面に少なくとも２つの方向の、即ち、１つは垂直な方向の、及び、１つは平行な方向の厚さの特性に関し、周期的構成を持つことを特徴とする請求項１又は２記載のアンテナ。
【請求項４】
前記アセンブリは、欠陥性PFB材料要素から構成され、
各要素は、透磁率，誘電率、及び、前記リフレクタを構成する面の３方向に、即ち、一つは垂直な方向の，及び、他の２つは平行の厚さの特性に関し、周期的構成を持つことを特徴とする請求項１乃至３のいずれか１項記載のアンテナ。
【請求項５】
前記リフレクタ面に関し、１方向、２方向、又は３方向の周期性を有する構成で組合わせられた欠陥性PFB材料要素アセンブリを有することを特徴とする請求項２乃至４のいずれか１項記載のアンテナ。
【請求項６】
各欠陥性PFB材料要素は、透磁率、誘電率が実質的に同一である同一材料シートで構成され、
前記各同一材料シートの厚さは、リフレクタを構成する面と前記シートとの距離の離散値の非減少関数であることを特徴とする請求項１乃至５のいずれか１項記載のアンテナ。
【請求項７】
前記欠陥性PFB材料要素を構成する各同一材料シートは、前記リフレクタ面に垂直な方向に隣接するシートから、実質的にλg/４（λgは、同一材料シートを隔離する物質に関係する導波波長である）に等しい共通した距離だけ離間されることを特徴とする請求項１乃至６のいずれか１項記載のアンテナ。
【請求項８】
リフレクタを構成する面に隣接する欠陥性PFB材料要素を形成する第１シートは、前記面から、実質的にλg/２（λgは，前記リフレクタを形成する面から前記第１シートを隔離する物質に関連した導波波長である）に等しい距離に配置されることを特徴とする請求項１乃至７のいずれか１項記載のアンテナ。
【請求項９】
複数の連続する同一材料シートが、前記リフレクタ面に垂直な方向に、前記物質に関連する導波波長の分数に実質的に等しい厚さを有し、
欠陥性PFB材料要素を構成する、連続する同一材料シートの１群、
前記群の重畳列に従って増大する厚さの誘電材料シートにより構成される、前記リフレクタを構成する面に垂直な方向に重畳される誘電材料シートの２つの連続する群、
を構成することを特徴とする請求項１乃至８のいずれか１項記載のアンテナ。
【請求項１０】
前記同一材料シートの各群を構成する前記同一材料シートの厚さは、前記群の重畳方向に公比ｑの等比数列であることを特徴とする請求項９のアンテナ。
【請求項１１】
前記リフレクタを構成する面を除去し、
少なくとも送信／受信放射装置、及び、前記除去するリフレクタを構成する面が占有する空間である中間面に関して、前記欠陥性PFB材料要素アセンブリに対称な、別の欠陥性PFB材料要素のアセンブリで置換することを特徴とするアンテナ。
【請求項１２】
前記欠陥性PFB材料要素が金属部分を含むことを特徴とする請求項３乃至１１のいずれか１項記載のアンテナ。
【請求項１３】
前記欠陥性PFB材料要素アセンブリは、透磁率特性、誘電率特性、及び／又は厚さ特性が、実質的に不連続の群の繰り返し構造を有し、前記欠陥性PFB材料要素の欠陥ゾーンの相互結合により、複数の不連続通過帯域を生成することを特徴とする請求項1乃至１２のいずれか１項記載のアンテナ。
【請求項１４】
請求項１乃至１３のいずれか１項記載のアンテナを有し、前記アンテナは、前記反射面の近傍において周期的に分布配置される、複数の送信/受信放射要素を有することを特徴とするアレーアンテナ。
【発明の詳細な説明】
【技術分野】
【０００１】
本発明は、ＰＦＢ材料と呼ぶ光禁止帯材料を使用して作成されるマイクロ波用の広帯域又はマルチバンドアンテナに関するものである。
【背景技術】
【０００２】
既に、マイクロ波用アンテナを実現するためにPFB材料を使うことが提案されてきた。
【０００３】
従来例を示す図1ａを参照すると、従来のタイプのアンテナは、リフレクタ、フィードポイント、即ち、リフレクタの近傍に配置された送信/受信放射素子、及び、反射面と前記送信/受信フィードポイントに配置される、少なくとも２つの誘電材料のアセンブリ（assembly、組合わせ）を有する。前記使用される誘電材料の誘電率（permittivity）又は透磁率（permeability）は相違しており、こうして形成されたアセンブリはPFB材料を構成する。
【０００４】
図１ｂを参照し、PFB材料は、所定の周波数範囲をフィルタする（吸収する）、即ち、前記周波数レンジにおける伝播を妨害する性質を有することを思い出す。この条件の下で、材料は、光禁止帯材料（PFB）と呼ばれる。
【０００５】
図１ｂを参照すると、PFB材料は、一般的に、可変の誘電率及び／又は透磁率の誘電体を周期的に配置することで構成される。
【０００６】
このように幾何学的及び／又は電磁的周期性に中断(break)を導入することにより、この中断は「欠陥」（defect）と呼ばれ、「中心」(central)要素を除去することにより実現できるものであるが、吸収欠陥（absorption defect）を生成することができ、それによりPFB材料の禁止帯に伝送帯（transmission band）を生成することができる。この条件の下のPFB材料は、欠陥性PFB材料(defective PFB material)と呼ばれる。
【０００７】
このタイプのアンテナについては、仏国特許出願99/14521で、更に、詳細に説明されている。この出願は、No.2 801 428として2001年５月２５日に公開されている。
【０００８】
このアンテナは、満足のいくものである。
【０００９】
しかしながら、特に、その構成のために、このアンテナを使って達成される通過帯域は、比較的狭帯域で、6dBの減衰に対し、中心周波数の4％から5％を超えない。
【発明の開示】
【発明が解決しようとする課題】
【００１０】
本発明の目的は、上記の欠点を改良し、従来技術の欠陥性PFB材料アンテナ（defective PFB material antennas）の限界を改善することである。
【００１１】
特に、本発明の目的は、欠陥性PFB材料を使った広帯域アンテナを実現することである。前記広帯域とは、大幅に改善された通過帯域、又は、マルチプルパスバンドに分割された通過帯域を表す。
【００１２】
本発明のもう一つの目的は、特に、分散(dispersive)又は吸収(absorbent)要素を追加せず、規則性を破り、更に複雑なものにして、単純な構成の広帯域アンテナを実現することである。
【課題を解決するための手段】
【００１３】
本発明の広帯域アンテナは注目に値するもので、少なくともリフレクタを構成する１つの面と、少なくとも一つの、前記リフレクタを構成する面の近傍に配置される、送信/受信フィードポイントを有する。更に、アセンブリは、実質的にリフレクタとフィードポイントに重畳して配置される欠陥性PFB材料要素から構成される。アセンブリを形成する各欠陥性PFB材料要素は、実質的に平板であり、リフレクタを形成する平板に平行であり、誘電率（dielectric permittivity）、透磁率（magnetic permeability）の特性の少なくとも１つである、及び／又は、前記要素のリフレクタを形成する平面に垂直の方向の厚みが、欠陥PFB材料要素毎に異なっており、前記リフレクタを構成する面により形成されるユニットと、欠陥性PFB材料要素のアセンブリが漏洩レゾナントキャビティ（leaky resonant cavity）を形成するものである。
【００１４】
本発明の広帯域アンテナは、特に、移動体無線電話の分野、及び、可視又は不可視スペクトル領域の光学通信分野での使用に適したマイクロ波アンテナの製造に応用される。
【００１５】
本発明の広帯域又はマルチバンドアンテナの構成と動作方法は、以下の図面を参照し、説明を読み、十分に理解されるものである。
【発明を実施するための最良の形態】
【００１６】
本発明の広帯域又はマルチバンドアンテナの構成と動作方法について、図2a、2bとその他の図面を参照しながら、以下詳細に説明する。
【００１７】
図２aを参照すると、本発明の広帯域アンテナは、少なくともRで示すリフレクタを形成する平面を少なくとも含む。例えば、前記平面はメタル平面で形成される。
【００１８】
加えて、リフレクタRの近傍には、少なくとも送信／受信放射要素ERが備えられる。以下に限定するものではないが、放射要素ERは、例えば、放射性ダイポール、放射性スロット又は、放射性パッチ又はプローブにより構成される。図２aに示す実施例においては、唯一つの放射要素ERを図示しているが、本発明の広帯域アンテナでは、放射要素ER（図示しない）を複数有する。
【００１９】
なお、図2aに示されるように、本発明の広帯域又はマルチバンドは、リフレクタRと放射要素ERの面を形成する平面に重ね合わせて配置された欠陥性PFB材料要素のアセンブリを含む。用語『欠陥性PFB材料要素アセンブリ』は、シート、又は、誘電材料構造（例えば、LDで示す）により構成される複数の要素を意味する。前記群(group)又はパターンを形成する前記要素は、リフレクタ面に垂直な方向に重畳され、互いに、他の誘電材料、例えば空気、アルミナ等のシートにより隔離される。
【００２０】
誘電材料LDの各シートは、実質的に平面である。また、各欠陥性PFB材料要素は、リフレクタRを構成する平面に平行である。加えて、特に、本発明の広帯域アンテナの利点によれば、透磁率特性、誘電率特性、及び／又は、リフレクタRを構成する平面ｅに垂直な方向の厚みの、少なくとも１つは、欠陥性PFB材料要素毎に、実質的に異なる。
【００２１】
この条件の下で、リフレクタを構成する平面Ｒと欠陥性PFB材料要素アセンブリとから形成されるユニットは、以下説明する条件の下で、漏洩レゾナントキャビティを形成する。
【００２２】
特に、図2ａと図2ｂを参照すると、以下に説明する条件の下で、誘電材料ＬＤの各シートは、欠陥PFB材料要素毎に異なる、誘電率、透磁率、又は、厚さｅの値を示す。
【００２３】
図2bは、前記図面において示される本発明の広帯域アンテナを表す図2aの平面Ｐによる切断面である。
【００２４】
この条件の下で、λ’gは、伝播媒体が、シートLDの材料、例えば誘電物質で構成される時の、導波無線信号（guided radio signal ）の波長である。λgは、シートLDと欠陥性PFB材料要素間とのギャップで導波される無線信号の波長である。例えば、図２aと図２bには、シートLD間の空気又はアルミナのシートによる実施例を示すが、これに限定するものではない。
【００２５】
この条件の下で、λgは、導波無線信号の波長を表す。この信号は、リフレクタを形成する平面Rと前記リフレクタ面に面して位置する第１の誘電材料LDシートの間を伝播するものである。
【００２６】
特に、図2bにおいて、本発明の広帯域アンテナを構成する要素の組を識別する為の正規直交系の基準フレームを示す。
【００２７】
この条件と定義の下で、リフレクタ面Rは、ｚ軸方向の位置を0とし、シートLDは、上記方向に重畳され、前記断面Pは、面Oｘ-Oｚに平行である。Oy方向は、前記面Oｘ-Oｚに直交している。
【００２８】
本発明の広帯域アンテナの特別な実施例を、特に簡単で単純化した例である図2bを参照して説明するが、これに限定されるものではない。この例では、欠陥性PFB材料要素のアセンブリ及び材料LDのシートは、同一誘電材料シートにより構成される。一例として、これら条件の下で、誘電率、透磁率特性が、どの誘電材料のシートについても同一であり、どの欠陥性PFB材料要素のシートについても実質的に同一であるような特性を表すように構成される。
【００２９】
この条件の下で，図2bを参照する。誘電材料LDの各シートの厚さは、対象とする誘電材料のシートとリフレクタを構成する面Rとの間の距離の離散値の非減少関数（non-decreasing function）であると有利である。
【００３０】
図２bに示すように、アセンブリを形成する誘電材料の各シートは、隣接する誘電シートから、λg/４の距離だけ離れている。ここで、λgは、誘電材料LDの各シートの間にある材料に関係する導波波長（guided wavelength）である。例として挙げる図2aの実施例において、λgは、誘電材料LDの各シートの間にある空気、又はアルミナに関係する導波波長である。
【００３１】
同様に、又、図2bに詳細に示すように、誘電材料LDの最初のシートは、リフレクタ構成面Rに面し、前記面に隣接し、λg/２だけ離れている。ここで、λgは、前記と同様に、誘電材料LDの最初のシートとリフレクタを構成する面Rとの間にある材料に関係する導波波長である。前記と同様に、λgは、信号が空気、又はアルミナ（図2a又は図2bに対応する実施例で使用する）を伝播する時の導波無線信号の波長である。実施例を、空気、又はアルミナに限定するものではないことは勿論である。
【００３２】
なお，図2bを参照して分かるように、前記漏洩レゾナントキャビティを形成するために、誘電材料LDの連続する複数シートは、同一の厚さを示し、この厚さは、誘電材料に関係する導波波長の分数(fraction)で、誘電材料の連続するシートの群(group)を形成するものである。このように、レゾナントキャビティは、連続する複数の誘電材料シート群から構成されていることが分かる。各群は、欠陥性PFB材料要素で構成され、各種群は、夫々の欠陥ゾーン（defective zone）により相互に結合され、結果、漏洩レゾナントキャビティを形成する。
【００３３】
従って、図２ｂにおいて、特に、λ’gは、各誘電材料シートLDを伝播する、導波無線信号の波長である。
【００３４】
加えて、特に図2bから分かるように、2つの連続する誘電材料シートG1、G2は、リフレクタＲを構成する面に垂直な方向（即ち、Ｏｚ方向に）に重畳され、上記群の各々の重畳列(superposition rank)に従って増大する厚さの誘電材料シートにより構成される。
【００３５】
このように、図２bと図２aにおいて、シートの各群G1とG2は、それぞれ同一厚さe1とe2の、2つの平行なシートにより構成される例を示す。なお、この実施例に限定するものではない。
【００３６】
誘電材料シートの群G1に対して、該群は、同一厚さe１＝λ’ｇ/４のシートで構成される。ここで、誘電材料シートの群Ｇ2に対し、群Ｇ2において構成される各シートは、厚さｅ2＝λ’ｇ/2の同一誘電材料シートで構成される。
【００３７】
最後に、好ましい実施例において、誘電材料シートの各群Giを形成する誘電材料LDシートの厚さｅiは、連続する群Giが重畳される方向に公比ｑの数列となる。
【００３８】
図２bの実施例は、これに限定されるものではないが、図面が複雑になるのを避けるために、重畳される群数を２、等比数列の公比を２とした。これらの数値についても、これらに限定するものではない。
【００３９】
更に、以下に限定するものではないが、欠陥性PFB材料要素のアセンブリは、透磁率、誘電率、以下に説明するように、１、２又は３方向に、垂直方向、及び、リフレクタを構成する面に平行な１又は２方向に、材料シートの厚さを周期的に繰り返すように構成される。
【００４０】
こうして、群Giの重畳は、透磁率、誘電率、厚さｅiの異なる特性の繰り返しパターンを構成する。この繰り返しは、周期的であってよい。
【００４１】
図２aと２bに図示されるものと異なるが、本発明に従う広帯域、又は、マルチバンドアンテナの基準を満たす構成のアンテナについて、図３aを参照して、以下、詳細に説明する。この構成は、電気的に等価な動作モードを表すものである。
【００４２】
図３aに示す本発明の広帯域又は、マルチバンドアンテナの構成は、以下の予備的考察に基づいて実現される。即ち、リフレクタ構成面Rの近傍の電界強度は、金属リフレクタ表面近傍の電界の金属反射の原理から、実質的に0である。
【００４３】
従って、図3aに示すように、本発明の広帯域又はマルチバンドアンテナ構造は、リフレクタを構成する面Rを除去し、それを、対称性のある、他の欠陥性ＰＦＢ材料要素アセンブリで置き換えて、構成することができる。図3aでLDsと記す対称性のある別の欠陥性ＰＦＢ材料要素アセンブリを形成する誘電材料シートをLDsと表記する。上記の通り、対称的であるからである。当然、放射要素ER、即ち、送信/受信放射要素ERの組、及び、除去したリフレクタを構成する面Rの空間部分を占める中間面（midplane）に対して対称である。
【００４４】
この理由と、上記配置についての対称性の理由から、別の誘電材料LDsシートアセンブリの群は、図2bと同様にして、場合に応じて、G1s、G2sと呼ばれる。
【００４５】
図３bは、図2a、2b、3b（曲線B）で図示される本発明の広帯域アンテナのための周波数の関数である伝送係数のチャートであり、縦軸の単位はｄBである。これは、前記したフランス特許出願に記載された従来技術のアンテナ（曲線A）と比較するものである。
【００４６】
上記曲線を比較すると、本発明のアンテナ構造が実現される時には、通過帯域における大きな増加が見られる。
【００４７】
従って、以下、限定されない例として示すが、中心周波数14GHz時の減衰6ｄBに関して、本発明の広帯域アンテナ構造を用いる時と、従来タイプのアンテナ構造を用いる時とを対比すると、本発明のアンテナの通過帯域幅が、従来のアンテナの通過帯域幅の少なくとも２倍の大きさであることは、自明である。
【００４８】
最後に、図４には、例えば図３aで示す本発明の広帯域アンテナを使った時の波形を示す。前記波は、電場の大きさ｜E｜と、上記構造を構成する電気材料シートの間の様々なゾーンにおける前記電場の実数部分の値を表す。
【００４９】
ｚ＝0における電場の大きさが実質的に0である条件の場合には、当然、図2a又は2ｂで図示される本発明の広帯域又はマルチバンドアンテナを使用する場合の波形は、ｚが0より大きい図４の上部に対応するのみである。
【００５０】
本発明による広帯域又はマルチバンドアンテナの構造は、幾何学的に対称であるが、ｚ＝0において、電界強度分布の観点からみると、非対称である。
【００５１】
上記した、本発明による広帯域又はマルチバンドアンテナは、一般的に、例えば、図2a、2ｂ、3aについて説明した前記実施例に限定されるものではない。これら構成は、図2ｂ又は3ｂで例示するように、０z方向に沿った、単一方向におけるパターンの繰り返しであるが、当然、例えば、図2b、3a又は4で図示する基準軸の０yと０x軸の２軸方向、又は、３軸方向でパターンを繰り返すことも可能である。
【００５２】
最後に、誘電材料LDシート間の空気シートは、別の特性の誘電シートで置換することができる。場合によっては、図２a、２b、3a又は4で示すｚ方向と同様に、ｘ軸、ｙ軸方向に繰り返しパターンを形成する材料シートで置換することができる。
【００５３】
同様に、重畳される群又はパターンを形成する欠陥性PFB材料要素は、例えば、金属,又は磁気材料でできたシート又は要素（elements）を含んでも良い。
【００５４】
従って、１軸、２軸又は３軸方向における繰り返しパターンを実現することを考えて、前記図面において、基準軸は、Oxyz、Ozxy、Oyzxと記される。
【００５５】
１軸、２軸又は３軸方向、若しくは、リフレクタ面に関し１軸方向の、２軸方向の又は３軸方向の周期性を有する構造の組合わせの繰り返しパターンの実現に関し、前記フランス特許出願No．2 801 428を参考にすることができる。特に、夫々、その出願の図3、4及び5を参考にすることができる。上記に対応する構造の各々に対し、欠陥（defect）を導入することは、中央ゾーンから、それぞれ、シート、１列、又は２列を除去することである。
【００５６】
加えて、本発明のマルチバンドアンテナを作成するためには、欠陥性PFB材料要素アセンブリは、群Giの繰り返し構造を有するように構成する。その場合、群Giにおいては、透磁率特性、誘電率特性、及び／又は厚さ特性が実質的に不連続である。このような不連続性を導入することは、欠陥性PFB材料要素の欠陥ゾーンの間の相互結合により、複数の不連続（disjoint）の通過帯域を生成することを可能にする。
【００５７】
最後に、本発明によるアンテナ構造によれば、アンテナアレー（array of antennas ）を実現することができる。図５に示すように、アンテナアレーは、これまで説明してきた本発明のアンテナを有する。複数の送信/受信要素ERj,kは、リフレクタ面の近傍で周期的に分布配置される。放射要素ERj,kは、同一のものである。アレーの大きさと、２つ分布方向における放射要素の数J.Kは、アレーの応用、使用に従って決められる。このアレーは、ポイントツーポイント（point to point）通信、ポイントツーマルチポイント（point to multipoint）通信システムに応用される。
【００５８】
上記の新規広帯域又はマルチアンテナ構造は、従来技術によるアンテナ構造の放射能力とコンパクト性を保持しつつ、通過帯域に関し、特に有利である。
【００５９】
特に、本発明の広帯域又はマルチバンドアンテナ構造は、漏洩キャビティを構成する。その動作周波数は、主として、欠陥性PFB材料要素の配置の重畳の大きさにより決まる。得られる結果は、従来技術による装置と比較して帯域幅を２倍にするものである。
【００６０】
本発明の広帯域又はマルチバンドアンテナ構造は、放射装置（radiating devices）の製造にPFB材料を使う際の制限を取り除く。
【図面の簡単な説明】
【００６１】
【図１ａ】従来技術による広帯域又はマルチバンドアンテナの斜視図である。
【図１ｂ】図１ａの断面図である。
【図２ａ】本発明による広帯域又はマルチバンドアンテナの斜視図である。
【図２ｂ】図２ａに示される広帯域又はマルチバンドアンテナの切断面Ｐによる断面図である。
【図３ａ】図２a又は２ｂに図示されるアンテナに等価なアンテナの、図２ａの同一切断面Ｐによる断面図である。
【図３ｂ】前記フランス特許出願No.2 801 428で示される従来技術によるアンテナの、周波数を変化させる時の伝播係数（曲線Ａ）と、図２ａ、２ｂ、３ａで示される本発明によるアンテナの、周波数を変化させる時の伝播曲線（曲線Ｂ）との比較図である。
【図４】図２a、２ｂ、３aで示される実施例における、本発明の広帯域又はマルチバンドアンテナを構成する漏洩レゾナントキャビティで生成される波形を説明する図である。
【図５】本発明のアンテナを基礎にして実現されるアンテナアレーの斜視図である。
【図１ａ】
2005504475.tif 000003
【図１ｂ】
2005504475.tif 000004
【図３ｂ】
2005504475.tif 000005
【図４】
2005504475.tif 000006
【国際公開パンフレット】
2005504475.tif 000007
2005504475.tif 000008
2005504475.tif 000009
2005504475.tif 000010
2005504475.tif 000011
2005504475.tif 000012
2005504475.tif 000013
2005504475.tif 000014
2005504475.tif 000015
2005504475.tif 000016
2005504475.tif 000017
2005504475.tif 000018
2005504475.tif 000019
2005504475.tif 000020
2005504475.tif 000021
2005504475.tif 000022
2005504475.tif 000023
2005504475.tif 000024
2005504475.tif 000025
2005504475.tif 000026
2005504475.tif 000027
【国際調査報告】
2005504475.tif 000028
2005504475.tif 000029
2005504475.tif 000030
2005504475.tif 000031
2005504475.tif 000032
2005504475.tif 000033